(57)【要約】【課題】  外部から調圧部の調整ができる制震用油圧ダンパを提供する。【解決手段】  制震用油圧ダンパ１において、シリンダ３内は、ピストン７で、第１圧力室９と第２圧力室１１とに区分される。  第１圧力室９は、ピストン７の一端に設けられたリリーフ弁２０−１を介して第２圧力室１１と接続され、第２圧力室１１は、ピストン７の別の一端に設けられたリリーフ弁２０−２、を介して第１圧力室９と接続される。制震用油圧ダンパ１の減衰特性は、調圧部であるリリーフ弁２０−１およびリリーフ弁２０−２によって決まるが、シリンダ３の平面部に設けられた孔３−１および３−２を通して、リリーフ弁２０−１およびリリーフ弁２０−２に設けられた調整ねじ１８−１、１８−２を回すことにより、減衰特性を調整することができる。【選択図】  図１
2006194372.tif 000002
【特許請求の範囲】
【請求項１】
シリンダと、
前記シリンダ内に移動可能に設けられたピストンと、
前記ピストンに設けられたピストンロッドと、
前記ピストンの両側に設けられた２つの圧力室と、
２つの前記圧力室を結ぶ流路と、
前記流路に設けられ、弁体と、前記弁体を支持する弾性体を有する調圧部と、
を有し、
前記調圧部を前記ピストンまたは前記ピストンロッドに設け、外部から、前記弾性体の支持力を調整できる構造としたことを特徴とする制震用油圧ダンパ。
【請求項２】
前記調圧部の少なくとも一箇所を、双方向に調圧作用を有する構造としたことを特徴とする請求項１記載の制震用油圧ダンパ。
【請求項３】
前記調圧部の少なくとも一箇所を、２つの前記弁体と、２つの前記弁体を支持する１つの前記弾性体からなる構造としたことを特徴とする請求項１記載の制震用油圧ダンパ。
【請求項４】
前記シリンダ、前記ピストンロッドまたは前記シリンダの外部に設けられたジョイント、前記ピストンロッドの少なくとも一箇所に、前記弾性体の支持力を調整できる孔を設けたことを特徴とする請求項１〜３記載の制震用油圧ダンパ。
【発明の詳細な説明】
【技術分野】
【０００１】
本発明は、建築物等に用いられる制震用油圧ダンパに関するものである。
【背景技術】
【０００２】
従来、地震や風等による建築物の揺れを低減させるために、制震用油圧ダンパが用いられていた。制震用油圧ダンパは、油の流体抵抗を利用して、建築物の揺れに対する抵抗力（減衰力）を発生させ、建築物の揺れを吸収して耐震性、居住性を向上させる。
【０００３】
即ち、制震用油圧ダンパのシリンダ内に充填された作動油が、調圧部を通過する際の流体抵抗により減衰力を発生させて建築物の揺れを吸収する。制震用油圧ダンパは、シリンダ内のピストンがいずれの方向に移動しても減衰力が発生するように、調圧部を装備している。
【０００４】
ピストンは、作動油が充填されたシリンダを２つの圧力室に区分する。制震用油圧ダンパは調圧部を備える。ピストンがいずれかの圧力室を圧縮する方向に移動したとき、作動油が調圧部を通過し、これにより減衰力が発生し振動を吸収する。
なお、減衰特性は調圧部を構成する弾性体等を調整することで調整可能である。
【０００５】
一方、従来、調圧部は、シリンダの外部に設けられていたが、近年、装置を小型化する必要があることや、外観状の問題から、調圧部をピストン等のシリンダ内部に設けた制震用油圧ダンパがあり、以下のようなものが知られている。
（特許文献１）。
【特許文献１】特許第２５２８５６３号公報
【発明の開示】
【発明が解決しようとする課題】
【０００６】
しかしながら、このような制震用油圧ダンパでは、調圧部がシリンダ内部に組み込まれているため、一旦制震用油圧ダンパが完成してしまうと、外部から調圧部の調整ができなくなる。そのため、組み立て後に調整が必要な場合は、再度制震用油圧ダンパを分解する必要があり、調整に時間がかかっていた。
【０００７】
本発明は、このような問題に鑑みてなされたもので、その目的は調圧部がシリンダ内部に組み込まれている場合であっても、外部から調圧部の調整ができる制震用油圧ダンパを提供することにある。
【課題を解決するための手段】
【０００８】
前述した目的を達成するために、本発明は、シリンダと、前記シリンダ内に移動可能に設けられたピストンと、前記ピストンに設けられたピストンロッドと、前記ピストンの両側に設けられた２つの圧力室と、２つの前記圧力室を結ぶ流路と、前記流路に設けられ、弁体と、前記弁体を支持する弾性体を有する調圧部と、を有し、前記調圧部を前記ピストンまたは前記ピストンロッドに設け、外部から、前記弾性体の支持力を調整できる構造としたことを特徴とする制震用油圧ダンパである。
前記調圧部は、少なくとも一箇所を、双方向に調圧作用を有する構造としてもよく、２つの前記弁体と、２つの前記弁体を支持する１つの前記弾性体からなる構造としてもよい。
また、前記シリンダ、前記ピストンロッドまたは前記シリンダの外部に設けられたジョイント、前記ピストンロッドの少なくとも一箇所に、前記弾性体の支持力を調整できる孔が設けられる。
【０００９】
本発明では、制震用油圧ダンパに孔を備えており、孔を通して外部から調圧部の調整をおこなう。
【発明の効果】
【００１０】
本発明によれば、調圧部がシリンダ内部に組み込まれている制震用油圧ダンパであっても、外部から調圧部の調整ができるため、調圧部の調整を短時間で終えることができ、整備性が改善される。
【発明を実施するための最良の形態】
【００１１】
以下、図面に基づいて本発明に好適な実施形態を詳細に説明する。図１は、第１の実施形態に係る制震用油圧ダンパ１を示すものである。
【００１２】
図１に示すように、円筒状のシリンダ３内には、ピストン７が方向Ａ又は方向Ｂに移動可能に設けられており、ピストン７の両側には、円柱状のピストンロッド５−１及びピストンロッド５−２が設けられている。
【００１３】
ピストンロッド５−２はジョイント３３−２と連結される。ジョイント３３−１は、シリンダ３に連結され、建築物の支持構造部に固定される。また、ジョイント３３−２は建築物のブレース（筋かい）等に固定される。尚、ジョイント３３−１を建築物のブレース（筋かい）等に固定し、ジョイント３３−２を建築物の支持構造部に固定してもよい。建築物が風や地震等で振動したとき、制震用油圧ダンパ１は建築物の振動を吸収する。
【００１４】
シリンダ３内は、ピストン７で、第１圧力室９と第２圧力室１１とに区分される。第１圧力室９と第２圧力室１１には、作動油が充填される。シリンダ３、ピストン７、ピストンロッド５−１、５−２等は、金属で構成される。
なお、シリンダ３の平面部には、第２圧力室１１側と第１圧力室９側にそれぞれ孔３−１および３−２が設けられている。また、孔３−１および３−２にはそれぞれ蓋３−３および蓋３−４が設けられている。
【００１５】
第１圧力室９は、ピストン７の一端に設けられた流路１３−１、流路１３−２を介して第２圧力室１１と接続される。流路１３−１と流路１３−２との間には調圧部であるリリーフ弁２０−１が設けられている。
一方、第２圧力室１１は、ピストン７の別の一端に設けられた流路１３−３、流路１３−４を介して第１圧力室９と接続される。流路１３−３と流路１３−４との間には調圧部であるリリーフ弁２０−２が設けられている。
【００１６】
即ち、リリーフ弁２０−１が開いた時には、流路１３−１と流路１３−２の圧力差で作動油が第１圧力室から第２圧力室に移動し、リリーフ弁２０−２が開いた時には流路１３−３と流路１３−４の圧力差で作動油が第２圧力室から第１圧力室に移動し得る構成となっている。リリーフ弁２０−１およびリリーフ弁２０−２の詳細については後述する。
【００１７】
一方、第１圧力室９は、ピストン７の一端に設けられた別の流路である流路２３−１、流路２３−２を介して第２圧力室１１と接続される。また、流路２３−１は、流路２３−３に分岐し、流路２３−３はアキュムレータ２９に接続される。
また、流路２３−１には固定絞り２７−１が設けられており、流路２３−２には固定絞り２７−２が設けられている。
固定絞り２７−１、２７−２は、作動油の温度上昇によって膨張した体積をアキュムレータ２９に逃がす目的で設けられる。
【００１８】
アキュムレータ２９は、作動油の熱膨張を吸収する。また、作動時にアキュムレータ２９から低圧側圧力室に作動油を供給することで、作動油が負圧になることを防止して制震用油圧ダンパ１の性能を安定化させる機能を有する。
【００１９】
次に、リリーフ弁２０−１の構造および動作を詳細に説明する
図２は、リリーフ弁２０−１の詳細図である。なお、図２にはリリーフ弁２０−１の弁体１５−１の正面図３５も併せて示す。
また、図３はリリーフ弁２０−１の、調整ねじ１８−１付近の構造を示す詳細図である。
なお、リリーフ弁２０−２の構造および動作はリリーフ弁２０−１と同様であるため、説明を省略する。
【００２０】
まず、リリーフ弁２０−１の構造について説明する。
図２に示すように、弁体１５−１が流路１３−１と接するように設けられており、弁体１５−１の一端にはバネ１７−１が設けられている。なお、弁体の形状はポペット弁とする。
バネ１７−１の別の一端には調整ねじ１８−１が設けられており、弁体１５−１と調整ねじ１８−１の間には弁室１９−１が設けられている。なお、流路１３−２は、調整ねじ１８−１の内部に設けられている。
【００２１】
また、図３に示すように、調整ねじ１８−１は、ナット部３２にねじ込まれており、調整ねじ１８−１を回すことによって、調整ねじ１８−１はＥ方向およびＦ方向に移動可能となっている。
【００２２】
次に、リリーフ弁２０−１の動作について説明する。
図２に示すように、流路１３−１側（方向Ｃ側）から作動油が流れてくる場合、弁体１５−１は、流路１３−１の直径ｄ１と同じ受圧面積Ｓ１の部分が圧力を受ける。
【００２３】
そして、方向Ｃ側からの作動油の力がある設定値に達すると、バネ１７−１が押し縮められて弁体１５−１が開き、作動油が流路１３−１から弁室１９−１を経て流路１３−２へと流れる。
一方、流路１３−２側（方向Ｄ側）から作動油が流れてくる場合、弁体１５−１は開かないため、作動油が流路１３−２から流路１３−１へと流れることはない。
【００２４】
すなわち、リリーフ弁２０−１において、弁体１５−１は作動油が流れていない状態、あるいは作動油が図２のＤ方向に流れている状態では、バネ１７−１に支持され、流路１３−１と流路１３−２とを遮断している。また、バネ１７−１の弾性力により、弁体１５−１を開く作動油の圧力と、流路１３−１と流路１３−２間を移動する流量が制御される。また、弁室１９−１内の作動油は、弁体１５−１が弾性体１７−１を押し縮める方向に移動すると、流路１３−２方向に流れる。
【００２５】
ここで、リリーフ弁２０−１が開くために要する力、即ち弁体１５−１が開くために要する力は、調整ねじ１８−１を回して、調整ねじ１８−１を移動させ、バネ１７−１に変位を与えることにより、調整可能である。
【００２６】
例えば、図３において調整ねじ１８−１を回して、Ｅ方向に調整ねじ１８−１を移動させると、バネ１７−１には、圧縮方向の変位が与えられるため、弁体１５−１が開くために要する圧力は、調整ねじ１８−１を移動させる前より大きくなる。
反対に、調整ねじ１８−１を逆に回して図３のＦ方向に調整ねじ１８−１を移動させると、バネ１７−１の変位が小さくなるため、弁体１５−１が開くために要する圧力は、調整ねじ１８−１を移動させる前より小さくなる。
【００２７】
実際に弁体１５−１が開くために要する力を調整する場合は、シリンダ３に設けられた孔３−１から、ドライバー等を差しこみ、調整ねじ１８−１を回して、調整ねじ１８−１を図３のＥ方向およびＦ方向に移動することにより、調整を行う。
なお、孔３−１は第２圧力室１１と繋がっているため、調整の際には作動油が孔３−１を通して外部に若干漏れ出す。そのため、調整を行わないときは常に蓋３−３で孔３−１を密閉しておく必要がある。
【００２８】
次に、図１及び図２を用いて、制震用油圧ダンパ１の動作について説明する。
【００２９】
建築物に地震や風等の外力が働き、図１のピストン７に方向Ａの力が働くとする。第１圧力室９に充填された作動油が圧縮され、流路１３−１へ流れる。即ち図２の方向Ｃに作動油が流れる。尚、建築物に外力が働いていない状態では、リリーフ弁２０−１の弁体１５−１は、弾性体１７−１の弾性力を受け、流路１３−１と流路１３−２を遮断する状態にある。ピストン７が方向Ａに移動し、弁体１５−１にかかる方向Ｃの作動油圧力が所定の圧力以上になると、弁体１５−１が押し縮められて弾性体１７−１が移動し、流路１３−１から流路１３−２の方向に作動油が移動する。
【００３０】
尚、図２の弁体１５−１の受圧面積Ｓ１部分に、作動油圧力がかかる。
ところで、この際同時に作動油は流路１３−４にも流れるが、この場合弁体１５−２は開かないため、流路１３−４から流路１３−３への作動油の移動は起こらない。
【００３１】
また、バネ１７−１を調整することで、制震用油圧ダンパ１の減衰特性を調整することができる。なお、調整が外部から可能であることは既に述べた通りである。
【００３２】
弁体１５−１にかかる方向Ｃの圧力が解消されると、弁体１５−１とバネ１７−１は元の位置に戻り、再び流路１３−１と流路１３−２は遮断される。
【００３３】
逆に、ピストン７が方向Ｂに移動すると、第２圧力室１１に充填された作動油が圧縮され、流路１３−３へ流れる。ピストン７が方向Ｂに移動し、弁体１５−２にかかる作動油の圧力が所定の圧力以上になると、弁体１５−２が押し縮められて、バネ１７−２が移動し、流路１３−３から流路１３−４の方向に作動油が移動する。
【００３４】
なお、同時に作動油は流路１３−２にも流れるが、この場合弁体１５−１は開かないため、流路１３−２から流路１３−１への作動油の移動は起こらない。
また、バネ１７−２を調整することで、制震用油圧ダンパ１の減衰特性を調整することができる。なお、調整の際は、シリンダ３に設けられた孔３−２から、ドライバー等を差しこみ、調整ねじ１８−２を回して調整を行う。
【００３５】
弁体１５−２にかかる圧力が解消されると、弁体１５−２とバネ１７−２は元の位置に戻り、再び流路１３−３と流路１３−４は遮断される。
【００３６】
尚、建築物の振動に伴い、ピストン７は方向Ａと方向Ｂへの移動を繰り返す。このとき、アキュムレータ２９は、低圧力側に作動油を補給したり、作動油の熱膨張を吸収したりする機能を有する。
【００３７】
以上のように、ピストン７が方向Ａに移動した場合は、リリーフ弁２０−１が作動する。一方、ピストン７が方向Ｂに移動した場合は、リリーフ弁２０−２が作動する。
【００３８】
このように、第１の実施形態では、シリンダ３に孔３−１および３−２が設けられているため、弁体１５−１および１５−２が開くために要する力を、外部から、調整することができる。従って調整を短時間で終えることができ、整備性が改善される。
【００３９】
次に、第２の実施形態について説明する。図４は、第２の実施形態に係る制震用油圧ダンパ４１を示す図である。なお、第１の実施形態に係る制震用油圧ダンパ１と同様の機能を果たす要素には同一の番号を付し、説明を省略する。
【００４０】
図４に示すように、第２の実施形態に係る制震用油圧ダンパ４１は、第１の実施形態に係る制震用油圧ダンパ１において、リリーフ弁２０−３およびリリーフ弁２０−４を、ピストン７の径方向に平行に設けたものである。
【００４１】
また、後で詳しく述べるが、リリーフ弁２０−３およびリリーフ弁２０−４の形状もリリーフ弁２０−１およびリリーフ弁２０−２とは若干異なる。
さらに、制震用油圧ダンパ１ではシリンダ３の平面部に設けられていた孔３−１および３−２が、制震用油圧ダンパ４１ではシリンダ３の円筒部に設けられている。
【００４２】
図５は、リリーフ弁２０−３の詳細図である。なお、図５にはリリーフ弁２０−３の弁体１５−１の正面図３７も併せて示す。
なお、第１の実施形態に係るリリーフ弁２０−１と同様の機能を果たす要素には同一の番号を付し、説明を省略する。
さらに、リリーフ弁２０−４の構造はリリーフ弁２０−３の構造と同様であるため、説明を省略する。
リリーフ弁２０−３の構造はリリーフ弁２０−１の構造と同様であるが、流路１３−２が、調整ねじ１８−１の内部ではなく、弁室１９−１の側面に設けられている。なお、調整ねじ１８−１の構造は、第１の実施形態と同様であるため、説明を省略する。
【００４３】
第２の実施形態において、弁体１５−１、１５−２が開くために要する力を調整する際は、シリンダ３に設けられた孔３−１、３−２から蓋３−３、３−４を外し、孔３−１、３−２にドライバー等を差しこみ、調整ねじ１８−１、１８−２を回して調整をおこなう。
【００４４】
このように、シリンダ３に孔３−１、３−２が設けられているため、弁体１５−１、１５−２が開くために要する力を、外部から調整することができる。
ただし、第２の実施形態においては、シリンダ３の位置によっては孔３−１および３−２と第１圧力室９、第２圧力室１１が繋がる場合があるため、調整の際に蓋３−３および３−４を外すと、孔３−１および３−２を通じて第２圧力室内の作動油が外部に漏れ出す可能性がある。そのため、調整時以外は、常に孔３−１および３−２を蓋３−３および３−４で密閉する必要がある。
【００４５】
なお、制震用油圧ダンパ４１の動作は第１の実施形態と同様であるため、説明を省略する。
【００４６】
このように、第２の実施形態では、シリンダ３に孔３−１および３−２が設けられているため、外部から、弁体１５−１および１５−２が開くために要する力を、調整することができる。従って調整を短時間で終えることができ、整備性が改善される。
【００４７】
次に、第３の実施形態について説明する。図６は、第３の実施形態に係る制震用油圧ダンパ４５を示す図である。なお、第１の実施形態に係る制震用油圧ダンパ１と同様の機能を果たす要素には同一の番号を付し、説明を省略する。
【００４８】
第３の実施形態に係る制震用油圧ダンパ４５は、第２の実施形態に係る制震用油圧ダンパ４１においてリリーフ弁２０−３、２０−４をピストンロッド５−２の軸方向に配置したものである。
また、それに伴い、第２の実施形態に係る制震用油圧ダンパ１ではシリンダ３の円筒部に設けられていた孔３−１および３−２が、ピストンロッド５−１および５−２の平面部に設けられている。またジョイント３３−１、３３−２の軸方向にも孔４−１、４−２が設けられている。
さらに、流路２３−１、流路２３−２の一部と、固定絞り２７−１、固定絞り２７−２、流路２３−３、アキュムレータ２９の全部がシリンダの外部に露出している。
【００４９】
なお、リリーフ弁２０−３、２０−４の詳細は第２の実施形態と同様であり、制震用油圧ダンパ４５の動作は第１の実施形態と同様であるため、説明を省略する。
【００５０】
第３の実施形態において、弁体１５−１、１５−２が開くために要する力を調整する際は、ジョイント３３−１、３３−２に設けられた孔４−１、４−２およびピストンロッド５−１、５−２に設けられた孔３−１、３−２にドライバー等を差しこみ、調整ねじ１８−１、１８−２を回して調整をおこなう。
なお、第３の実施形態においては、孔３−１および３−２が、第１圧力室９および第２圧力室１１のいずれとも繋がっていないため、孔３−１、３−２および孔４−１、４−２に蓋をする必要はない。
【００５１】
このように、第３の実施形態では、ピストンロッド５−１、５−２に孔３−１、３−２が設けられており、ジョイント３３−１、３３−２に孔４−１、４−２が設けられているため、外部から、弁体１５−１および１５−２が開くために要する力を、調整することができる。従って調整を短時間で終えることができ、整備性が改善される。
【００５２】
次に、第４の実施形態について説明する。図７は、第４の実施形態に係る制震用油圧ダンパ４９を示す図である。なお、第１の実施形態に係る制震用油圧ダンパ１と同様の機能を果たす要素には同一の番号を付し、説明を省略する。
【００５３】
第４の実施形態に係る制震用油圧ダンパ４９は、第１圧力室９と第２圧力室１１の間にリリーフ弁５３を配置したものである。また、ジョイント３３−２に孔６０が設けられている
【００５４】
図７に示すように、第１圧力室９は、ピストン７の一端に設けられた流路５９−１、流路５９−２を介して第２圧力室１１と接続される。流路５９−１と流路５９−２との間にはリリーフ弁５３が設けられている。
即ち、流路５９−１と流路５９−２の圧力差でリリーフ弁５３が開き、作動油が双方向に移動し得る構成となっている。
【００５５】
次に、リリーフ弁５３の構造および動作を詳細に説明する
図８は、リリーフ弁５３の詳細図である。なお、図８にはリリーフ弁５３の弁体５５の正面図５７も併せて示す。
【００５６】
図８に示すように、弁体５５が流路５９−１と接するように設けられており、弁体５５の側面は流路５９−２に接している。また、弁体５５の一端にはバネ５６が設けられている。
一方、バネ５６の別の一端には調整ねじ５８が設けられている。
また、弁体５５はテーパ部６１を有している。
なお、調整ねじ５８の構造は第１の実施形態における調整ねじ１８−１の構造と同様であるため、説明を省略する。
【００５７】
ここで、リリーフ弁５３の動作について説明する。
流路５９−１側、即ち方向Ｇ側から作動油が流れてくる場合、弁体５５は、受圧面積Ｓ２の部分が圧力を受ける。受圧面積Ｓ２は直径ｄ２の円の面積である。一方、流路５９−２側、即ち方向Ｈ側から作動油が流れてくる場合、弁体５５は、テーパ部６１のドーナツ型の受圧面積Ｓ３の部分が圧力を受ける。
【００５８】
そして、方向Ｇ側からの作動油の圧力がある設定値に達すると、バネ５６が押し縮められて弁体５５が開き、作動油が流路５９−１から流路５９−２へと流れる。また、逆に方向Ｈ側からの作動油の圧力が、方向Ｇ側からの圧力と同じ設定値に達すると、バネ５６が押し縮められて弁体５５が開き、作動油が流路５９−２から流路５９−１へと流れる。弁体５５は、受圧面積Ｓ２が受ける圧力＝受圧面積Ｓ３が受ける圧力となるよう構成される。
【００５９】
次に、図７及び図８を用いて、制震用油圧ダンパ４９の動作について説明する。
【００６０】
建築物に地震や風等の外力が働き、図７のピストン７に方向Ａの力が働くとする。第１圧力室９に充填された作動油が圧縮され、流路５９−１へ流れる。即ち図８の方向Ｇに作動油が流れる。
尚、建築物に外力が働いていない状態では、弁体５５は、バネ５６の弾性力を受け、流路５９−１と流路５９−２を遮断する状態にある。
ピストン７が方向Ａに移動し、弁体５５にかかる方向Ｇの作動油圧力が所定の圧力以上になると、弁体５５及びバネ５６が押し縮められて移動し、流路５９−１から流路５９−２の方向に作動油が移動する。
【００６１】
尚、図８の弁体５５の受圧面積Ｓ２、即ち流路５９−１の口径ｄ２に等しい部分に、作動油圧力がかかる。
【００６２】
また、バネ５６を調整することで、制震用油圧ダンパ４９の減衰特性を調整することができる。
なお、調整の際は、ジョイント３３−２に設けられた孔６０からドライバー等を差しこみ、調整ねじ５８を回して、調整ねじ５８を図８のＩ方向およびＪ方向に移動することにより、調整を行う。
なお、第４の実施形態においては、孔６０が、第１圧力室９および第２圧力室１１のいずれとも繋がっていないため、孔６０に蓋をする必要はない。
【００６３】
弁体５５にかかる方向Ｇの圧力が解消されると、弁体５５とバネ５６は元の位置に戻り、再び流路５９−１と流路５９−２は遮断される。
【００６４】
次に、ピストン７が方向Ｂに移動すると、第２圧力室１１に充填された作動油が圧縮され、流路５９−２へ流れる。即ち図８の方向Ｈに作動油が流れる。ピストン７が方向Ｂに移動し、弁体５５にかかる方向Ｈの作動油の圧力が所定の圧力以上になると、弁体５５及びバネ５６が押し縮められて移動し、流路５９−２から流路５９−１の方向に作動油が移動する。
【００６５】
即ち、図８の弁体５５の受圧面積Ｓ３、つまり弁体５５の円筒部の直径ｄ３を外径とし、流路５９−１の口径ｄ２を内径とするドーナツ型形状の部分に、作動油の圧力がかかる。
【００６６】
弁体５５にかかる方向Ｈの圧力が解消されると、弁体５５とバネ５６は元の位置に戻り、再び流路５９−１と流路５９−２は遮断される。
【００６７】
尚、建築物の振動に伴い、ピストン７は方向Ａと方向Ｂへの移動を繰り返す。このとき、アキュムレータ２９は、低圧力側に作動油を補給したり、作動油の熱膨張を吸収したりする機能を有する。
【００６８】
以上のように、ピストン７が方向Ａあるいは方向Ｂ、いずれの方向に移動した場合でも、１つの調圧部、即ちリリーフ弁５３が、制震用油圧ダンパ４９の減衰特性を決定する。
【００６９】
このように、第４の実施形態では、ジョイント３３−２に孔６０が設けられているため、外部から、弁体５５が開くために要する力を、調整することができる。従って調整を短時間で終えることができ、整備性が改善される。
また、第４の実施形態では、１つのリリーフ弁が双方向に作用するため、リリーフ弁の個数を減らすことができ、製造コストを削減することができる。
【００７０】
次に、第５の実施形態について説明する。図９は、第５の実施形態に係る制震用油圧ダンパ６７を示す図である。なお、第４の実施形態に係る制震用油圧ダンパ４９と同様の機能を果たす要素には同一の番号を付し、説明を省略する。
【００７１】
第５の実施形態に係る制震用油圧ダンパ６７は、第４の実施形態に係る制震用油圧ダンパ４９において、リリーフ弁５３をピストン７に、ピストン７の軸方向に設けたものである。また、それに伴い、孔６２および蓋６２−２が、シリンダ３の平面部に設けられている。
【００７２】
なお、リリーフ弁５３の詳細および制震用油圧ダンパ６７の動作は第４の実施形態と同様であるため、説明を省略する。
【００７３】
第５の実施形態において、リリーフ弁５３が開くために要する力を調整する際は、シリンダ３の平面部に設けられた蓋６２−２を外し、孔６２にドライバー等を差しこみ、調整ねじ５８を回して調整をおこなう。
なお、第５の実施形態においては、孔６２が、第２圧力室１１と繋がっているため、調整の際に蓋６２−２を外すと、孔６２を通じて第２圧力室１１内の作動油が外部に漏れ出す可能性がある。そのため、調整時以外は、常に孔６２に蓋６２−２をする必要がある。
【００７４】
このように、第５の実施形態では、シリンダ３の平面部に孔６２が設けられているため、外部から、弁体５５が開くために要する力を、調整することができる。従って調整を短時間で終えることができ、整備性が改善される。
また、第５の実施形態では、１つのリリーフ弁が双方向に作用するため、リリーフ弁の個数を減らすことができ、製造コストを削減することができる。
【００７５】
次に、第６の実施形態について説明する。図１０は、第６の実施形態に係る制震用油圧ダンパ７１を示す図である。なお、第１の実施形態に係る制震用油圧ダンパ１と同様の機能を果たす要素には同一の番号を付し、説明を省略する。
【００７６】
第６の実施形態に係る制震用油圧ダンパ７１は、第１の実施形態に係る制震用油圧ダンパ１において、第１圧力室９と第２圧力室１１の間に弁体を２つ有するリリーフ弁７７を配置したものである。また、チェック弁７３−１、７３−２が設けられているほか、ジョイント３３−２に孔７４が設けられ、ピストンロッド５−２に孔８９が設けられている。
さらに、流路２３−１、流路２３−２の一部と、固定絞り２７−１、固定絞り２７−２、流路２３−３、アキュムレータ２９の全部がシリンダの外部に露出している。
【００７７】
図１０に示すように、第１圧力室９は、ピストン７の一端に設けられた流路７５−１、流路７５−２を介して第２圧力室１１と接続される。流路７５−１と流路７５−２との間にはリリーフ弁７７が設けられている。
なお、流路７５−２は孔８９と繋がっており、孔８９には蓋７６が設けられている。
【００７８】
また、第１圧力室９は、チェック弁７３−１を介してリリーフ弁７７に接続されており、第２圧力室１１は、チェック弁７３−２を介してリリーフ弁７７に接続されている。
即ち、リリーフ弁７７が開いた時に第１圧力室９と第２圧力室１１の圧力差で作動油が双方向に移動し得る構成となっている。
【００７９】
次に、リリーフ弁７７、チェック弁７３−１、７３−２の構造および動作を詳細に説明する
図１１は、リリーフ弁７７付近の詳細図である。なお、図１１にはリリーフ弁７７の弁体８１−１、８１−２の正面図８７−１、８７−２も併せて示す。
【００８０】
弁体８１−１が流路７５−１と接するように設けられており、弁体８１−１の一端にはバネ８３−１が設けられている。
また、バネ８３−１の別の一端には弁体８１−２が設けられ、弁体８１−２は調整ねじ８５と接している。さらに調整ねじ８５と接するように、流路７５−２が設けられている。
一方、弁体８１−１と弁体８１−２の間には弁室８７が設けられており、弁室８７は、チェック弁７３−１を通して第１圧力室９と接続されている。また弁室８７は、チェック弁７３−２を通して第１圧力室１１とも接続されている。
【００８１】
チェック弁７３−１は、第１圧力室９よりも弁室８７の方が高圧の場合、弁室８７側から第１圧力室９への作動油流入を許容する。また、チェック弁７３−１は、第１圧力室９から弁室８７への作動油流入を阻止する。
【００８２】
一方、チェック弁７３−２は、第２圧力室１１よりも弁室８７の方が高圧の場合、弁室８７側から第２圧力室１１への作動油流入を許容する。また、チェック弁７３−２は、第２圧力室１１から弁室８７への作動油流入を阻止する。
【００８３】
調整ねじ８５の構造は、第１の実施形態における調整ねじ１８−１と同様であり、調整ねじ８５はＯ方向およびＰ方向に移動可能である。
【００８４】
次にリリーフ弁７７、チェック弁７３−１、チェック弁７３−２の動作について説明する。
【００８５】
ピストン７の移動等によって第１圧力室の圧力が上昇すると、弁体８１−１の流路７５−１側、すなわち方向Ｋ側から作動油が流れてくるため、弁体８１−１は、受圧面積Ｓ４の部分が圧力を受ける。受圧面積Ｓ４は直径ｄ４の円の面積である。
【００８６】
そして、方向Ｋ側からの作動油の圧力がある設定値に達すると、バネ８３−１が押し縮められて弁体８１−１が開き、作動油が流路７５−１から弁室８７へと流れる。
【００８７】
弁室８７へと流れた作動油は、方向Ｌおよび方向Ｍに進み、それぞれチェック弁７３−１および７３−２に流れ込むが、この場合、第２圧力室１１よりも弁室８７の方が高圧であるため、作動油はチェック弁７３−２を通過して第２圧力室１１に流れる。
一方、第１圧力室９よりも弁室８７の方が低圧であるため、チェック弁７３−１は作動油を通さず、作動油が弁室８７から第１圧力室９に流れることはない。
【００８８】
即ち、第１圧力室９から流路７５−１に流れてきた作動油は、弁室８７、チェック弁７３−２を経由して第２圧力室１１に流れることになる。
なお、弁体８１−２は弁室８７側からの圧力で移動することはないため、弁室８７から流路７５−２への作動油の移動は起こらない。
【００８９】
逆に、ピストン７の移動等によって第２圧力室の圧力が上昇すると、弁体８１−２の流路７５−２側、すなわち方向Ｎ側から作動油が流れてくるため、弁体８１−２は、受圧面積Ｓ５の部分が圧力を受ける。受圧面積Ｓ５は直径ｄ５の円の面積である。
【００９０】
そして、方向Ｎ側からの作動油の圧力がある設定値に達すると、バネ８３−１が押し縮められて弁体８１−２が開き、作動油が流路７５−２から弁室８７へと流れる。
【００９１】
弁室８７へと流れた作動油は、チェック弁７３−１および７３−２に流れ込むが、この場合、第１圧力室９よりも弁室８７の方が高圧であるため、作動油はチェック弁７３−１を通過して第１圧力室９に流れる。
一方、第２圧力室１１よりも弁室８７の方が低圧であるため、チェック弁７３−２は作動油を通さず、作動油が弁室８７から第２圧力室１１に流れることはない。
【００９２】
即ち、第２圧力室１１から流路７５−２に流れてきた作動油は、弁室８７、チェック弁７３−１を経由して第１圧力室９に流れることになる。
なお、弁体８１−１は弁室８７側からの圧力で移動することはないため、弁室８７から流路７５−１への作動油の移動は起こらない。
【００９３】
なお、弁体８１−１が開くのに要する力と弁体８１−２が開くのに要する力は等しく、調整ねじ８５を回して、バネ８３−１に変位を与えることにより、調整可能である。
【００９４】
例えば、調整ねじ８５を回して、Ｏ方向に移動させると、バネ８３−１には、弁体８１−２を介して圧縮方向の変位が与えられるため、弁体８１−１と弁体８１−２が開くのに要する力は、調整ねじ８５を移動させる前より大きくなる。
【００９５】
一方、調整ねじ８５を回して、Ｐ方向に移動させると、バネ８３−１の変位が小さくなるため、弁体８１−１と弁体８１−２が開くのに要する力は、調整ねじ８５を移動させる前より小さくなる。
【００９６】
次に、図１０及び図１１を用いて、制震用油圧ダンパ７１の動作について説明する。
【００９７】
建築物に地震や風等の外力が働き、図１０のピストン７に方向Ａの力が働くとする。第１圧力室９に充填された作動油が圧縮され、流路７５−１へ流れる。即ち図１１の方向Ｋに作動油が流れる。
尚、建築物に外力が働いていない状態では、弁体８１−１、８１−２は、バネ８３−１の弾性力を受け、流路７５−１と流路７５−２を遮断する状態にある。ピストン７が方向Ａに移動し、弁体８１−１にかかる方向Ｋの作動油圧力が所定の圧力以上になると、バネ８３−１が押し縮められて弁体８１−１が移動し、流路７５−１から弁室８７の方向に作動油が移動する。
【００９８】
尚、図１１の弁体８１−１の受圧面積Ｓ４、即ち流路７５−１の口径ｄ４に等しい部分に、作動油圧力がかかる。
【００９９】
弁室８７に移動した作動油は、前述のように圧力差によりチェック弁７３−２を通過して第２圧力室１１に移動する。
【０１００】
また、バネ８３−１を調整することで、制震用油圧ダンパ６７の減衰特性を調整することができる。
【０１０１】
調整の際は、ジョイント３３−２に設けられた孔７４およびピストンロッド５−２に設けられた孔８９からドライバー等を差しこみ、調整ねじ８５を回して、調整ねじ８５を図１１のＯ方向およびＰ方向に移動することにより、調整を行う。
なお、第６の実施形態においては、流路７５−２が孔８９と繋がっているため、蓋７６を外すと、作動油が外部に漏れ出す。そのため、調整を行わないときは常に蓋７６で孔８９を密閉しておく必要がある。
【０１０２】
弁体８１−１にかかる方向Ｋの圧力が解消されると、弁体８１−１とバネ８３−１は元の位置に戻り、再び流路７５−１と弁室８７は遮断される。
【０１０３】
次に、ピストン７が方向Ｂに移動すると、第２圧力室１１に充填された作動油が圧縮され、流路７５−２へ流れる。即ち図２の方向Ｎに作動油が流れる。ピストン７が方向Ｂに移動し、弁体８１−２にかかる方向Ｎの作動油の圧力が所定の圧力以上になると、弁体８１−２が押し縮められて、バネ８３−１が移動し、流路７５−２から弁室８７の方向に作動油が移動する。
【０１０４】
尚、図１１の弁体８１−２の受圧面積Ｓ５、即ち調整ねじ８５の内径ｄ５に等しい部分に、作動油圧力がかかる。
【０１０５】
弁室８７に移動した作動油は、前述のように圧力差によりチェック弁７３−１を通過して第１圧力室９に移動する。
【０１０６】
弁体８１−２にかかる方向Ｎの圧力が解消されると、弁体８１−２とバネ８３−１は元の位置に戻り、再び流路７５−２と弁室８７は遮断される。
【０１０７】
以上のように、ピストン７が方向Ａあるいは方向Ｂ、いずれの方向に移動した場合でも、１つの調圧部、即ちリリーフ弁７７が、制震用油圧ダンパ７１の減衰特性を決定する。
【０１０８】
このように、第６の実施形態では、ピストンロッド５−２の平面部に孔８９が設けられているため、外部から、弁体８１−１および８１−２が開くために要する力を、調整することができる。また、バネを共有しているため、バネの調整を片側のみから行えば良いので、調整作業が少なくなる。従って調整を短時間で終えることができ、整備性が改善される。
また、第６の実施形態では、２つのリリーフ弁がバネおよび弁室を共有するので、調圧部の個数を減らすことができ、製造コストを削減することができる。
【０１０９】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１１０】
例えば、前述した各実施形態では、調圧部にリリーフ弁を用いたが、調圧弁等の調圧作用を有するその他の弁を用いてもよい。また、アキュームレ−タを設ける場合は、シリンダの内側または外側のどちらに設けてもよい。
【図面の簡単な説明】
【０１１１】
【図１】制震用油圧ダンパ１を示す図
【図２】リリーフ弁２０−１の詳細図
【図３】リリーフ弁２０−１の、調整ねじ１８−１付近の構造を示す詳細図
【図４】制震用油圧ダンパ４１を示す図
【図５】リリーフ弁２０−３の詳細図
【図６】制震用油圧ダンパ４５を示す図
【図７】制震用油圧ダンパ４９を示す図
【図８】リリーフ弁５３の詳細図
【図９】制震用油圧ダンパ６７を示す図
【図１０】制震用油圧ダンパ７１を示す図
【図１１】リリーフ弁７７付近の詳細図
【符号の説明】
【０１１２】
１…………制震用油圧ダンパ
３…………シリンダ
５−１……ピストンロッド
５−２……ピストンロッド
９…………第１圧力室
１１………第２圧力室
１３−１…流路
１３−２…流路
１５−１…弁体
１７−１…バネ
１８−１…調整ねじ
２０−１…リリーフ弁
２０−３…リリーフ弁
２７−１…固定絞り
２７−２…固定絞り
２９………アキュームレ−タ
３２………ナット部
３３−１…ジョイント
３５−２…ジョイント
４１………制震用油圧ダンパ
４５………制震用油圧ダンパ
４９………制震用油圧ダンパ
５５………弁体
５６………バネ
５８………調整ねじ
５９−１…流路
５９−２…流路
６１………孔
７３−１…チェック弁
７３−２…チェック弁
７４………孔
７５−１…流路
７５−２…流路
７６………蓋
７７………リリーフ弁
８１−１…弁体
８１−２…弁体
８３−１…バネ
８５………調整ねじ
８９………孔
【図１】
2006194372.tif 000003
【図２】
2006194372.tif 000004
【図３】
2006194372.tif 000005
【図４】
2006194372.tif 000006
【図５】
2006194372.tif 000007
【図６】
2006194372.tif 000008
【図７】
2006194372.tif 000009
【図８】
2006194372.tif 000010
【図９】
2006194372.tif 000011
【図１０】
2006194372.tif 000012
【図１１】
2006194372.tif 000013